(57)【要約】無線端末機に放送チャンネル番号を直接入力することによるＤＭＢ番組視聴方法及び装置を提供する。無線端末機に放送チャンネル番号を直接入力することによるＤＭＢ番組視聴方法は、無線端末機のキーパッドを介して入力されるＤＭＢチャンネル番号を認識するステップと、ＤＭＢチャンネル番号の入力に引続き入力されるＤＭＢ専用ホットキーを認識するステップと、ＤＭＢチャンネル番号に一致するＤＭＢチャンネルが存在するか否かを確認するステップと、確認の結果、ＤＭＢチャンネル番号に一致するＤＭＢチャンネルが存在すれば、ＤＭＢチャンネル番号に一致するＤＭＢチャンネルにチューニングされるステップと、ＤＭＢチャンネル番号に一致するＤＭＢチャンネルのコンテンツを再生して出力するステップと、を含む。本発明によれば、放送チャンネル番号を直接入力することで所望するＤＭＢチャンネルに簡単で便利に切り替え（ａｃｃｅｓｓ）できる。【選択図】図５
2008511244.tif 000002
【特許請求の範囲】
【請求項１】
無線端末機に放送チャンネル番号を直接入力することによるＤＭＢ（デジタルマルチメディア放送）番組視聴方法において、
前記無線端末機のキーパッドを介して入力されるＤＭＢチャンネル番号を認識するステップと、
前記ＤＭＢチャンネル番号の入力に引続き入力されるＤＭＢ専用ホットキーを認識するステップと、
前記ＤＭＢチャンネル番号に一致するＤＭＢチャンネルが存在するか否かを確認するステップと、
前記確認の結果、前記ＤＭＢチャンネル番号に一致するＤＭＢチャンネルが存在すれば、前記ＤＭＢチャンネル番号に一致するＤＭＢチャンネルにチューニングされるステップと、
前記ＤＭＢチャンネル番号に一致するＤＭＢチャンネルのコンテンツを再生して出力するステップと、
を含むことを特徴とする方法。
【請求項２】
前記ＤＭＢチャンネル番号に一致するＤＭＢチャンネルがない場合には、ＥＰＧデータを実行するステップをさらに含むことを特徴とする請求項１に記載の方法。
【請求項３】
前記ＤＭＢチャンネル番号の入力なしに前記ＤＭＢ専用ホットキーが入力される場合には、前記ＥＰＧデータを実行するステップをさらに含むことを特徴とする請求項２に記載の方法。
【請求項４】
ＤＭＢチャンネル番号の入力なしに前記ＤＭＢ専用ホットキーが所定時間以下に入力される場合には、前記ＥＰＧデータを実行するステップと、
前記ＤＭＢチャンネル番号の入力なしに前記ＤＭＢ専用ホットキーが所定時間以上に入力される場合には、以前に実行されたＤＭＢチャンネルを介してＤＭＢコンテンツを受信するステップと、
をさらに含むことを特徴とする請求項２に記載の方法。
【請求項５】
前記ＥＰＧデータは
放送センタから受信されて、メモリに予め保存されることを特徴とする請求項２に記載の方法。
【請求項６】
無線端末機に放送チャンネルを直接入力することによるＤＭＢ（デジタルマルチメディア放送）番組視聴方法を実行するための命令語でなされたプログラムが記録されているコンピュータに読取可能な記録媒体において、
前記無線端末機のキーパッドを介して入力されるＤＭＢチャンネル番号を認識するステップと、
前記ＤＭＢチャンネル番号の入力に引き続き入力されるＤＭＢ専用ホットキーを認識するステップと、
前記ＤＭＢチャンネル番号に一致するＤＭＢチャンネルが存在するか否かを確認するステップと、
前記確認の結果、前記ＤＭＢチャンネル番号に一致するＤＭＢチャンネルが存在すれば、前記ＤＭＢチャンネル番号に一致するＤＭＢチャンネルにチューニングされるステップと、
前記ＤＭＢチャンネル番号に一致するＤＭＢチャンネルのコンテンツを再生して出力するステップと、
を含むことを特徴とするコンピュータに読取可能な記録媒体。
【請求項７】
前記ＤＭＢチャンネル番号に一致する前記ＤＭＢチャンネルがない場合には、ＥＰＧデータを実行するステップをさらに含むことを特徴とする請求項６に記載のコンピュータに読取可能な記録媒体。
【請求項８】
前記ＤＭＢチャンネル番号の入力なしに前記ＤＭＢ専用ホットキーが入力される場合には、前記ＥＰＧデータを実行するステップをさらに含むことを特徴とする請求項７に記載のコンピュータに読取可能な記録媒体。
【請求項９】
前記ＤＭＢチャンネル番号の入力なしに前記ＤＭＢ専用ホットキーが所定時間以下に入力される場合には、前記ＥＰＧデータを実行するステップと、
前記ＤＭＢチャンネル番号の入力なしに前記ＤＭＢ専用ホットキーが所定時間以上に入力される場合には、以前に実行されたＤＭＢチャンネルを介してＤＭＢコンテンツを受信するステップと、
をさらに含むことを特徴とする請求項７に記載のコンピュータに読取可能な記録媒体。
【請求項１０】
前記ＥＰＧデータは
放送センタから受信されて、メモリに予め保存されることを特徴とする請求項７に記載のコンピュータに読取可能な記録媒体。
【請求項１１】
放送チャンネルを直接入力することでＤＭＢ（デジタルマルチメディア放送）番組を視聴する無線端末機において、
ＤＭＢチャンネル番号を入力できる多数のキー及びＤＭＢ専用ホットキーを含むキーパッドと、
前記ＤＭＢチャンネル番号及び前記ＤＭＢ専用ホットキーの入力を認識して、
前記ＤＭＢチャンネル番号に一致するＤＭＢチャンネルが存在するか否かを確認し、前記ＤＭＢチャンネル番号に一致するＤＭＢチャンネルが存在すれば、前記ＤＭＢチャンネル番号に一致するＤＭＢチャンネルの受信を要請するＤＭＢ使用者インターフェース部と、
前記ＤＭＢチャンネルを受信するためにチャンネルをチューニングするチューナと、
受信中の前記ＤＭＢチャンネルのコンテンツを再生して出力する回路と、
を含むことを特徴とする無線端末機。
【請求項１２】
前記ＤＭＢ使用者インターフェース部は、前記ＤＭＢチャンネル番号に一致するＤＭＢチャンネルがない場合にはＥＰＧデータを実行することを特徴とする請求項１１に記載の無線端末機。
【請求項１３】
放送センタから受信される前記ＥＰＧデータを保存するためのメモリをさらに含むことを特徴とする請求項１２に記載の無線端末機。
【発明の詳細な説明】
【技術分野】
【０００１】
本発明は、デジタルマルチメディア放送（Ｄｉｇｉｔａｌ  Ｍｕｌｔｉｍｅｄｉａ  Ｂｒｏａｄｃａｓｔｉｎｇ、以下ＤＭＢと言う）に関し、特に、無線端末機に放送チャンネル番号を直接入力することによるデジタルマルチメディア放送番組視聴方法及びその装置に関する。
【背景技術】
【０００２】
ＤＭＢは、衛星、地上波、あるいは空中波などを介してデジタルマルチメディアデータを放送するサービスであって、ＤＭＢ専用無線端末機あるいは通常の無線端末機機能とＤＭＢ受信機能とが結合された無線端末機にて用いることができる。
【０００３】
ＤＭＢ受信端末機には通常的にＤＭＢ専用キーがある。使用者が端末機を介してＤＭＢサービスを受けるにはＤＭＢ専用キーを押せば良い。
【０００４】
従来、ＤＭＢチャンネルを選択するために、使用者がＤＭＢ専用キーを押した後、チャンネルを検索したり、または入力した。通常的にはＤＭＢ専用キーが入力されると、ＥＰＧ（Ｅｌｅｃｔｒｏｎｉｃ  Ｐｒｏｇｒａｍ  Ｇｕｉｄｅ）データが実行されて、使用者はＥＰＧデータを検索して所望するチャンネルを選択することになる。ＥＰＧデータは放送ガイド情報であって、各放送チャンネルに対する情報、例えば、放送の題目、放送時間などを知らせるために端末機に送信されるデータである。
【０００５】
しかし、このように特定のキーを用いてＤＭＢサービスモードに入った後、チャンネルを検索して選択するというチャンネルの選択方法は、放送チャンネル（番号）を既に知っている使用者には不便なこともある。また、ＤＭＢ放送サービスの発達と共に、ＤＭＢサービス利用の便宜性を増大させるための一つの便宜として、多様で便利な使用者インターフェース方法が求められる。
【発明の開示】
【発明が解決しようとする課題】
【０００６】
本発明は、上記した問題点を解決するために、無線端末機に放送チャンネル番号を直接入力することで所望するチャンネルに簡単で便利に切り替え（ｍｏｖｅ）できる、放送チャンネルの直接入力によるＤＭＢ放送の視聴方法及び装置を提供することを目的とする。
【課題を解決するための手段】
【０００７】
上記の目的を達成するために、本発明の一実施形態によれば、無線端末機に放送チャンネルを直接入力することによるＤＭＢ（デジタルマルチメディア放送）番組視聴方法及び、その視聴方法を実行する類型化された命令語でなされたプログラムが記録されているコンピュータにて判読できる記録媒体は、無線端末機のキーパッドを介して入力されるＤＭＢチャンネル番号を認識するステップと、上記ＤＭＢチャンネル番号の入力に引き続き入力されるＤＭＢ専用ホットキーを認識するステップと、上記ＤＭＢチャンネル番号に一致するＤＭＢチャンネルが存在するか否かを確認するステップと、上記確認の結果、上記ＤＭＢチャンネル番号に一致するＤＭＢチャンネルが存在すれば上記ＤＭＢチャンネル番号に一致するＤＭＢチャンネルにチューニングされるステップと、及びＤＭＢチャンネル番号に一致するＤＭＢチャンネルのコンテンツを再生して出力するステップと、を含む。
【０００８】
好ましい一実施例によれば、上記無線端末機に放送チャンネルを直接入力することによるＤＭＢ視聴方法は、上記ＤＭＢチャンネル番号に一致するＤＭＢチャンネルがない場合には、ＥＰＧデータを実行するステップをさらに含む。また、上記無線端末機に放送チャンネルを直接入力することによるＤＭＢ視聴方法は、ＤＭＢチャンネル番号の入力ではなく上記ＤＭＢ専用ホットキーが入力される場合には上記ＥＰＧデータを実行するステップをさらに含む。また、上記無線端末機に放送チャンネルを直接入力することによるＤＭＢ視聴方法は、ＤＭＢチャンネル番号の入力なしで上記ＤＭＢ専用ホットキーが所定時間以下に入力される場合には上記ＥＰＧデータを実行するステップと、及び上記ＤＭＢチャンネル番号の入力なしで上記ＤＭＢ専用ホットキーが所定時間以上に入力される場合には以前に実行されたＤＭＢチャンネルを介してＤＭＢコンテンツを受信するステップとをさらに含む。ここで、上記ＥＰＧデータは放送センタから受信されて、メモリに予め保存される。
【０００９】
本発明の他の実施形態によれば、放送チャンネル番号を直接入力することでＤＭＢ（デジタルマルチメディア放送）番組を視聴ができる無線端末機は、ＤＭＢチャンネル番号を入力できる多数のキー及びＤＭＢ専用ホットキーを含むキーパッドと、上記ＤＭＢチャンネル番号及び上記ＤＭＢ専用ホットキーの入力を認識し、上記ＤＭＢチャンネル番号に一致するＤＭＢチャンネルの存在を確認して、上記ＤＭＢチャンネル番号に一致するＤＭＢチャンネルが存在すれば、上記ＤＭＢチャンネル番号に一致するＤＭＢチャンネルの受信を要請するＤＭＢ使用者インターフェース部と、上記ＤＭＢチャンネルを受信するためにチャンネルをチューニングするチューナと、及び上記ＤＭＢチャンネルのコンテンツを再生して出力する回路とを含む。
【００１０】
好ましくは、上記ＤＭＢ使用者インターフェース部は、上記ＤＭＢチャンネル番号に一致するＤＭＢチャンネルがない場合にはＥＰＧデータを実行する。また、上記無線端末機は放送センタから受信される上記ＥＰＧデータを保存するためのメモリをさらに含む。
【発明の効果】
【００１１】
本発明によれば、無線端末機に放送チャンネル番号を直接入力することで所望するＤＭＢチャンネルに簡単で便利に切り替える（ａｃｃｅｓｓ）ことができる。
【発明を実施するための最良の形態】
【００１２】
以下、本発明の好ましい実施例を添付図面を参照して詳細に説明するが、添付図面を参照して説明することにおいて、図面符号にかかわらず同一であるか対応する構成要素は同一な参照番号を付与し、これに対する重複される説明は省略する。
【実施例】
【００１３】
図１は本発明の一実施例によるＤＭＢ網の構成図であって、衛星ＤＭＢ網構成の一例を示す。
【００１４】
図１を参照すると、本発明の一実施例によるＤＭＢ網は、無線端末機１１０、衛星中継器１４０、ＤＭＢ放送センタ１２０、プログラムプロバイダ１３０を含んで構成される。
【００１５】
無線端末機１１０は、ＤＭＢ信号を受信可能な端末機であって、ＤＭＢ受信機を有する移動通信兼用端末機またはＤＭＢ受信専用端末機である。図１に示すように、無線端末機１１０は、通常のＰＤＡフォン１１１または携帯電話１１２にＤＭＢ受信機能が搭載される場合もある。
【００１６】
プログラムプロバイダ１３０は、ＤＭＢコンテンツを提供するプログラムプロバイダ（番組供給事業者）のサーバである。ＤＭＢ放送センタ１２０は、プログラムプロバイダ１３０からＤＭＢコンテンツを受信して、ＤＭＢコンテンツに圧縮、多重化などの画像処理を施した後に衛星中継器１４０に送信する。ＤＭＢ放送センタ１２０は、また、チャンネル情報、プログラム編成情報などを管理して放送業務を全般的に管理する。また、ＤＭＢ放送センタ１２０は、無線端末機１１０からＤＭＢ要求信号が受信されると、この要求に一致するＤＭＢチャンネルをこの無線端末機１１０に提供する。また、ＤＭＢ放送センタ１２０は、無線端末機１１０からの要求に応答して、または所定のスケジュールに応じてＥＰＧデータを無線端末機１１０に提供することができる。
【００１７】
衛星中継器１４０は、ＤＭＢ放送センタ１２０から送信されたアップリンクＤＭＢ信号を無線端末機１１０に中継する。
【００１８】
図２は、本発明の他の一実施例によるＤＭＢ網の構成図であって、地上波ＤＭＢ網の構成の一例を示す。
【００１９】
図２を参照すると、本発明の他の一実施例によるＤＭＢサービス網は、無線端末機１１０、地上波ＤＭＢ通信網２４０、ＤＭＢ放送センタ２２０、プログラムプロバイダ２３０を含んで構成される。
【００２０】
無線端末機１１０及びプログラムプロバイダ２３０は、図１に示した無線端末機１１０及びプログラムプロバイダ１３０とそれぞれ同様であるので、これらの詳細な説明を省略する。
【００２１】
ＤＭＢ放送センタ２２０も図１に示したＤＭＢ放送センタ１２０とその機能が類似している。ただし、図１に示すＤＭＢ放送センタ１２０は、ＤＭＢ信号を衛星リンクに適合するように送信するためにＤＭＢコンテンツを信号処理することに比較して、図２に示すＤＭＢ放送センタ２２０は、地上波ＤＭＢ通信網２４０を介して送信するのに適合するようにＤＭＢコンテンツを信号処理するという点に差違がある。
【００２２】
図３は、本発明の一実施例による無線端末機１１０の構成図である。
【００２３】
図３を参照すると、無線端末機１１０は、チューナ部３１０、ＣＤＭ／ＦＥＣ部３２０、ＣＡＳ部３３０、Ａ／Ｖデコーダ部３４０、オーディオ部３５０、ビデオ部３６０、制御部３７０、メモリ部３８０、キーパッド部３９５及びＤＭＢ  Ｕ／Ｉ（Ｕｓｅｒ  Ｉｎｔｅｒｆａｃｅ）部３９０を含んで構成される。ここで、この無線端末機は、衛星ＤＭＢ信号を受信できる端末機であると仮定する。
【００２４】
チューナ部３１０は、アンテナ、ＬＮＡ（低ノイズアンプ：Ｌｏｗ  Ｎｏｉｓｅ  Ａｍｐｌｉｆｉｅｒ）、フィルタ、ミキサなどを含んで構成される各部を介してＤＭＢ  ＲＦ信号を受信する。
【００２５】
ＣＤＭ／ＦＥＣ部３２０は、チューナ部３１０を介して受信されるＲＦ信号からＣＤＭ（符号分割多重：Ｃｏｄｅ  Ｄｉｖｉｓｉｏｎ  Ｍｕｌｔｉｐｌｅｘｉｎｇ）信号を検出するとともに、逆拡散（ｄｅ−ｓｐｒｅａｄｉｎｇ）機能、誤り訂正機能を実行する。
【００２６】
ＣＡＳ部３３０は、サービス加入者が視聴権限を有するかどうかを判断する。Ａ／Ｖデコーダ部３４０は、デマルチプレクサ、ＭＰＥＧデコーダなどで構成され、ＤＭＢ信号の逆多重化機能やビデオ及びオーディオ信号の圧縮を解除（解凍）する。
【００２７】
Ａ／Ｖデコーダ部３４０にて圧縮が解除されたオーディオ信号は、オーディオ部３５０に送られ、オーディオ部３５０にて再生されてスピーカを介して出力される。Ａ／Ｖデコーダ部３４０にて圧縮が解除されたビデオ信号は、ビデオ部３６０に送られ、ビデオ部３６０にて再生されてＬＣＤのような表示部に表示される。
【００２８】
制御部３７０は、無線端末機１１０の全般的な動作を制御し、メモリ部３８０は無線端末機１１０の動作に必要なプログラム、使用者データを保存する。また、メモリ部３８０は、ＤＭＢ放送センタから受信されたＤＭＢコンテンツやＥＰＧデータを保存することもできる。
【００２９】
ＤＭＢ  Ｕ／Ｉ部３９０は、ＤＭＢ番組を受信するための使用者インターフェース機能を担当するモジュールである。図３では、説明の便宜上、ＤＭＢ  Ｕ／Ｉ部３９０が別のモジュールとして示されているが、実際にはＤＭＢ  Ｕ／Ｉソフトウェアモジュールがメモリ部に搭載され、制御部３７０がＤＭＢ番組を受信するための各種使用者インターフェース機能を果たすようにＤＭＢ  Ｕ／Ｉソフトウェアモジュールを実行する。
【００３０】
ＤＭＢ  Ｕ／Ｉ部３９０は、キーパッド部３９５を介して入力されるＤＭＢチャンネルの設定番号、及びＤＭＢ専用ホットキーの入力を認識する。具体的には、ＤＭＢ  Ｕ／Ｉ部３９０は、所定のＤＭＢチャンネル番号とＤＭＢ専用ホットキーが連続的に入力されると、入力されたＤＭＢチャンネル番号に一致するＤＭＢチャンネルが存在するかどうかを確認する。確認の結果、入力されたＤＭＢチャンネル番号に一致するＤＭＢチャンネルが存在すれば、ＤＭＢ番組を受信できるようにチューナ部３１０がこのＤＭＢチャンネルにチューニングされる。チューナ部３１０を、入力されたチャンネル番号に一致するＤＭＢチャンネルにチューニングすることは、制御部３７０の制御により行われ得る。確認の結果、入力されたＤＭＢチャンネル番号に一致するＤＭＢチャンネルが存在しなければ、ＥＰＧデータが実行される。ＥＰＧデータは、放送センタから予め受信してメモリ部３８０に保存されていることが好ましい。ＥＰＧデータが実行されると、所定のＥＰＧ画面が表示され、使用者はＥＰＧ画面をナビゲーションにより所望するチャンネルを設定することができる。チャンネルが設定されると、制御部３７０は設定されたチャンネルにチューニングされるようにチューナ部３１０を制御する。
【００３１】
図４は、図３に示した無線端末機のキーパッドを示す図である。図４に示す無線端末機は、移動通信機能とＤＭＢ受信機能を有する兼用端末機である。すなわち、通常の携帯電話にＤＭＢ受信機能を内蔵した端末機と言える。従って、通常の携帯電話に存在するキーパッド、例えば、数字及び文字キー、通話キー、終了キーなどが配列される。そして、ＤＭＢ受信のためにＤＭＢ専用ホットキー４１０を有する必要がある。
【００３２】
ＤＭＢ専用ホットキー４１０は他の機能と重複されない方が好ましい。
【００３３】
無線端末機の待機（ｉｄｌｅ）状態で使用者によりＤＭＢ専用ホットキー４１０が入力されると、ＤＭＢチャンネルを介してＤＭＢコンテンツを受信するための準備モードに入る。好ましくは、ＤＭＢ専用ホットキー４１０が入力されると、無線端末機ではＥＰＧデータを実行し、使用者がＤＭＢチャンネルを検索して所望するチャンネルを設定できようする。この際、ＤＭＢ専用ホットキー４１０が所定時間以下に入力されると、すなわち、ショートキー（ｓｈｏｒｔ  ｋｅｙ）に入力されると、上記のように、ＥＰＧデータが実行され、一方、ＤＭＢ専用ホットキー４１０が所定時間以上に入力されると、すなわち、ロングキー（ｌｏｎｇ  ｋｅｙ）に入力されると、以前視聴したチャンネルが設定される。
【００３４】
図５は、本発明の一実施例による、ＤＭＢチャンネルを直接入力することによるＤＭＢ番組視聴方法を示すフローチャートである。
【００３５】
図４及び図５を参照して、本発明の一実施例による、ＤＭＢチャンネルを直接入力することによるＤＭＢ視聴方法について説明する。
【００３６】
無線端末機が待機状態のときに（ステップＳ５１０とＳ５２０）、ＤＭＢチャンネル番号、すなわち、数字が入力された後に引続きＤＭＢ専用ホットキー４１０（図４の４１０）が入力されると、無線端末機はＤＭＢチャンネル番号及びＤＭＢ専用ホットキーの入力を認識する（ステップＳ５３０）。無線端末機は、入力されたＤＭＢチャンネル番号に一致するＤＭＢチャンネルの存在を確認する（ステップＳ５４０）。
【００３７】
確認の結果、入力されたＤＭＢチャンネル番号に一致するＤＭＢチャンネルが存在すれば、チューナ部３１０は当該ＤＭＢチャンネルにチューニングされる（ステップＳ５５０）。
無線端末機は、チューニングされたＤＭＢチャンネルを介して受信されるコンテンツを再生して出力する（ステップＳ５９０）。入力されたチャンネル番号に一致するＤＭＢチャンネルが存在しなければ、ＥＰＧデータを実行する（ステップＳ５６０）。すなわち、使用者が表示されたＥＰＧ画面を検索して所望のチャンネルを設定できるようにする。
【００３８】
使用者が表示されたＥＰＧ画面を検索して一つのチャンネルを選択すれば（ステップＳ５７０）、選択されたＤＭＢチャンネルにチューナ部３１０がチューニングされる（ステップＳ５８０）。無線端末機は、チューニングされたＤＭＢチャンネルを介して受信されるコンテンツを再生して出力する（ステップＳ５９０）。
【００３９】
本発明は、図面に示されている一実施例を参照して説明されたが、これは例示的なものに過ぎないし、本技術分野における通常の知識を有した者であれば、本発明の多様な変形及び均等した他の実施例が可能であることを理解できるだろう。したがって、本発明の本当の技術的保護の範囲は添付された特許請求の範囲の技術的思想により定められるべきである。
【産業上の利用可能性】
【００４０】
以上で説明したように、本発明によれば、無線端末機に放送チャンネル番号を直接入力することで所望するＤＭＢチャンネルに簡単で便利に切り替える（ａｃｃｅｓｓ）ことができる。従って、ＤＭＢサービス利用の便宜性が増大されて、ＤＭＢサービスの発達を促進することができる。
【図面の簡単な説明】
【００４１】
【図１】本発明の一実施例によるＤＭＢ網の構成図であって、衛星ＤＭＢ網構成の一例を示す。
【図２】本発明の他の一実施例によるＤＭＢサービス網の構成図であって、地上波ＤＭＢ網構成の一例を示す。
【図３】本発明の一実施例による無線端末機の構成図である。
【図４】図３に示した無線端末機のキーパッドを示す図である。
【図５】本発明の一実施例によるＤＭＢチャンネルを直接入力することによるＤＭＢ番組視聴方法を示すフローチャートである。
【符号の説明】
【００４２】
１１０  無線端末機
１１１  フォン
１１２  携帯電話
１２０  放送センタ
１３０  プログラムプロバイダ
１４０  衛星中継器
２２０  放送センタ
２３０  プログラムプロバイダ
２４０  通信網
３１０  チューナ部
３４０  デコーダ部
３５０  オーディオ部
３６０  ビデオ部
３７０  制御部
３８０  メモリ部
３９０  ＤＭＢ  Ｕ／Ｉ部
３９５  キーパッド部
４１０  専用ホットキー
【図１】
2008511244.tif 000003
【図２】
2008511244.tif 000004
【図３】
2008511244.tif 000005
【図４】
2008511244.tif 000006
【図５】
2008511244.tif 000007
【国際調査報告】
2008511244.tif 000008